(57)【特許請求の範囲】
【請求項１】
上部フレームと、底部と、上部分割側壁と下部分割側壁とからなる分割側壁と、はね上げ側壁とを有する折り畳みコンテナーにおいて、
前記上部フレームは、相対する一対の短辺部と、相対する一対の長辺部とからなり、前記短辺部は、外側垂直板部と、当該外側垂直板部の上端から内側に延在する水平天板部と、当該水平天板部の先端から下方に、且つ、前記外側垂直板部と略平行に延在する内側垂直板部とを備え、
前記はね上げ側壁は、前記上部フレームの前記短辺部とヒンジ連結される上部水平縁部を備え、
前記上部フレームの短辺部には、前記水平天板部の下面から垂下された当接リブが設けられており、
折り畳みコンテナーが折り畳まれた状態において、前記当接リブが、折り畳まれた状態の前記上部分割側壁に当接するように構成されており、
前記はね上げ側壁の上部水平縁部には凹部が形成されており、前記当接リブが折り畳まれた状態の前記上部分割側壁に当接した状態にあるとき、前記凹部に対し前記当接リブが嵌合するよう構成されていることを特徴とする折り畳みコンテナー。
【請求項２】
前記当接リブを、前記上部フレームと前記はね上げ側壁とのヒンジ連結部を外して設けたことを特徴とする請求項１に記載の折り畳みコンテナー。
【請求項３】
前記上部分割側壁の両側部には、突出部が設けられているとともに、
前記はね上げ側壁には、折り畳みコンテナーが箱型に組み立てられた際に、前記突出部が嵌合される嵌合凹部が設けられており、
前記当接リブは、折り畳まれた状態の前記上部分割側壁のうち、前記突出部に当接するように構成されていることを特徴とする請求項１又は２に記載の折り畳みコンテナー。
【発明の詳細な説明】
【技術分野】
【０００１】
本発明は、種々の物品の保管、輸送或いは搬送等に使用される折り畳みコンテナーに関するものである。
【背景技術】
【０００２】
図１１〜図１５を用いて、背景技術について説明する。
【０００３】
従来、図１１に示されているように、上部フレーム１と底部２とはね上げ側壁３と上部分割側壁４’と下部分割側壁４”とからなる折り畳みコンテナーが知られており、図１１に示されているように、箱型に組み立てられた折り畳みコンテナーを折り畳むには、先ず最初に、略垂直状のはね上げ側壁３を、折り畳みコンテナーの内部方向に回動させて、図１2 に示されているように、略水平状態とし、次いで、上部分割側壁４’と下部分割側壁４”とをヒンジ連結しているヒンジ連結部を、折り畳みコンテナーの内部方向に移動させて、上部分割側壁４’と下部分割側壁４”とを重ねることにより、箱型状態の折り畳みコンテナーを、図１３に示されているように、高さの低いコンパクトな状態に折り畳むことができるように構成されている。このように、折り畳みコンテナーが折り畳まれた状態においては、略水平状態の相対する一対のはね上げ側壁３が、上部フレーム１内に収納されることになる。また、底部２に対して上部フレーム１を持ち上げて、略水平状態に重ねられている上部分割側壁４’と下部分割側壁４”とを、互いに略面一になるように略垂直に立て、次いで、はね上げ側壁３を、略水平状態から垂直方向に回動させることにより、折り畳まれた状態の折り畳みコンテナーを、図１１に示されているように、箱型に組み立てるように構成されている。
【０００４】
また、図１４に示されているように、はね上げ側壁３の端部垂直フランジ３ｅ付近には、端部垂直フランジ３ｅに沿って、且つ、上下方向に所定の間隔を置いて、外側が開口された一対の嵌合凹部３ｇが形成されており、更に、図１５に示されているように、上部分割側壁４’及び下部分割側壁４”には、折り畳みコンテナーが箱型に組み立てられた際に、はね上げ側壁３に形成された一対の嵌合凹部３ｇに、それぞれ嵌合される嵌合部４ｃ２を有する嵌合部材４ｃが形成されている。このように、折り畳みコンテナーが箱型に組み立てられた際には、上部分割側壁４’及び下部分割側壁４”に形成された嵌合部材４ｃの嵌合部４ｃ２が、はね上げ側壁３に形成された嵌合凹部３ｇに嵌合されているので、上部分割側壁４’及び下部分割側壁４”が、箱型に組み立てられた折り畳みコンテナーの内部に収納されている物品により、外側に変形しようとした際に、嵌合部材４ｃの嵌合部４ｃ２が、嵌合凹部３ｇを形成する外側壁部３ｇ１に当接し、上部分割側壁４’及び下部分割側壁４”の外側への湾曲変形を防止するように構成されている。
【０００５】
上述した折り畳みコンテナーが、折り畳まれた状態においては、相対するはね上げ側壁３の先端部の先端部分同士が、図１３に示されているように、重なることになる。
【０００６】
図１１〜図１５に示されている折り畳みコンテナーは、特許文献１に開示されている。
【先行技術文献】
【特許文献】
【０００７】
【特許文献１】特開２００８−１３７７１３号公報
【発明の概要】
【発明が解決しようとする課題】
【０００８】
近年、上述したような折り畳みコンテナーのはね上げ側壁の高さを高くすることにより、折り畳みコンテナーの内容量を増加することが求められているが、はね上げ側壁３の高さを高くすると、折り畳みコンテナーが、折り畳まれた状態において、相対するはね上げ側壁３の先端部の先端部分同士の重なり部分が長くなり、上に位置するはね上げ側壁３の先端部が、上部フレーム１の上端面から突出し、折り畳まれた状態の折り畳みコンテナーが段積みされた際に、上に位置する折り畳みコンテナーの底部２が、下に位置する折り畳みコンテナーの上に位置するはね上げ側壁３の先端部を押圧し、上部フレーム１とはね上げ側壁３とのヒンジ連結部等が損傷するという問題があった。
【０００９】
また、上述した問題を解決するために、略水平状態の相対する一対のはね上げ側壁３が、上部フレーム１内に収納されるように、上部フレーム１の高さを高くすると、折り畳みコンテナーが折り畳まれた状態において、上部フレーム１内に収納されているはね上げ側壁３と上部分割側壁４’に形成された嵌合部材４ｃの嵌合部４ｃ２との間に隙間ができ、上部分割側壁４’に形成された嵌合部材４ｃの嵌合部４ｃ２とはね上げ側壁３の端部側水平部３ｃに形成された当接リブ３ｆとが当接することができないために、折り畳まれた状態の折り畳みコンテナーが段積みされた際に、折り畳まれた状態の折り畳みコンテナーが損傷したり、安定した状態で、折り畳まれた状態の折り畳みコンテナーを段積みすることができないという問題があった。
【００１０】
本発明の目的は、上述した折り畳みコンテナーが有する課題を解決することにある。
【課題を解決するための手段】
【００１１】
本発明は、上述した目的を達成するために、上部フレームと、底部と、上部分割側壁と下部分割側壁とからなる分割側壁と、はね上げ側壁とを有する折り畳みコンテナーにおいて、前記上部フレームは、相対する一対の短辺部と、相対する一対の長辺部とからなり、前記短辺部は、外側垂直板部と、当該外側垂直板部の上端から内側に延在する水平天板部と、当該水平天板部の先端から下方に、且つ、前記外側垂直板部と略平行に延在する内側垂直板部とを備え、前記はね上げ側壁は、前記上部フレームの前記短辺部とヒンジ連結される上部水平縁部を備え、前記上部フレームの短辺部には、前記水平天板部の下面から垂下された当接リブが設けられており、  折り畳みコンテナーが折り畳まれた状態において、前記当接リブが、折り畳まれた状態の前記上部分割側壁に当接するように構成されており、前記はね上げ側壁の上部水平縁部には凹部が形成されており、前記当接リブが折り畳まれた状態の前記上部分割側壁に当接した状態にあるとき、前記凹部に対し前記当接リブが嵌合するよう構成されていることを特徴とする。
また、前記当接リブを、前記上部フレームと前記はね上げ側壁とのヒンジ連結部を外して設けたこととしてもよい。
さらに、前記上部分割側壁の両側部には、突出部が設けられているとともに、前記はね上げ側壁には、折り畳みコンテナーが箱型に組み立てられた際に、前記突出部が嵌合される嵌合凹部が設けられており、前記当接リブは、折り畳まれた状態の前記上部分割側壁のうち、前記突出部に当接するように構成されていることとしてもよい。
【発明の効果】
【００１２】
上部フレームと底部とはね上げ側壁と上部分割側壁と下部分割側壁とを有する折り畳みコンテナーにおいて、折り畳みコンテナーが折り畳まれた状態において、上部フレームの短辺部に配設された当接リブが、折り畳まれた状態の上部分割側壁に当接するように構成したので、上部フレームに上方から負荷が加わった際に、上部フレームの短辺部に配設された当接リブが、折り畳まれた状態の上部分割側壁に当接するので、はね上げ側壁の強度や剛性を低下することなく、折り畳まれた状態の折り畳みコンテナーの変形や損傷を防止することができる。
【００１３】
また、当接リブを、上部フレームとはね上げ側壁とのヒンジ連結部を外して設けた場合には、折り畳んだ状態で、上部フレームに上方から負荷が加わった際にも、上部フレームとはね上げ側壁とのヒンジ連結部の損傷を防止することができる。
【図面の簡単な説明】
【００１４】
【図１】図１は、箱型に組み立てられた状態の本発明の折り畳みコンテナーの斜視図である。
【図２】図２は、組み立て途中或いは折り畳み途中の本発明の折り畳みコンテナーの斜視図である。
【図３】図３は、同じく、組み立て途中或いは折り畳み途中の本発明の折り畳みコンテナーの斜視図である。
【図４】図４は、折り畳まれた状態の本発明の折り畳みコンテナーの斜視図である。
【図５】図５は、本発明の折り畳みコンテナーを構成する上部フレームの斜視図である。
【図６】図６は、本発明の折り畳みコンテナーを構成する上部フレームの部分拡大斜視図である。
【図７】図７は、本発明の折り畳みコンテナーを構成するはね上げ側壁の斜視図である。
【図８】図８は、同じく、本発明の折り畳みコンテナーを構成するはね上げ側壁の斜視図である。
【図９】図９は、図４に示されているＩーＩ断面図である。
【図１０】図１０は、図９のＩーＩ断面図の部分拡大斜視図である。
【図１１】図１１は、上述した特許文献１に開示されている折り畳みコンテナーの箱型に組み立てられた状態の斜視図である。
【図１２】図１２は、上述した特許文献１に開示されている折り畳みコンテナーの組み立て途中或いは折り畳み途中の斜視図である。
【図１３】図１３は、上述した特許文献１に開示されている折り畳みコンテナーが折り畳まれた状態の斜視図である。
【図１４】図１４は、上述した特許文献１に開示されている折り畳みコンテナーを構成するはね上げ側壁３の斜視図である。
【図１５】図１５は、上述した特許文献１に開示されている折り畳みコンテナーを構成する分割側壁の斜視図である。
【発明を実施するための形態】
【００１５】
図１〜図４を用いて、本発明の実施例について説明する。
【００１６】
本発明の折り畳みコンテナーも、上部フレーム１と、底部２と、上部分割側壁４と下部分割側壁５とからなる分割側壁３と、はね上げ側壁９とから構成されている。
【００１７】
折り畳みコンテナーを、図１に示されている箱型に組み立てられた状態から、図４に示されているように折り畳む際には、先ず最初に、はね上げ側壁９を、図２に示されているように、上部フレーム１方向に回動させ、はね上げ側壁９を、図３に示されているように、水平状態とし、その後、上部分割側壁４と下部分割側壁５とを、ヒンジ連結部６を中心に回動させて重ねることにより、折り畳むことができるように構成されている。
【００１８】
また、従来の課題を解決するためには、折り畳みコンテナーの内容量を増加するために、はね上げ側壁９の高さを高くすることになるが、本願においては、折り畳みコンテナーが折り畳まれた状態のはね上げ側壁９の略大部分が重なるように構成されている。
【００１９】
折り畳みコンテナーが、箱型に組み立てられた状態においては、ヒンジ連結部６を挟んで、ヒンジ連結部６付近に位置する上部分割側壁４の下部に形成された突出部４ｃ及びヒンジ連結部６付近に位置する下部分割側壁５の上部に形成された嵌合突出部５ｃが、それぞれ、はね上げ側壁９に形成された嵌合凹部９ａに嵌合するように構成されている。
【００２０】
箱型に組み立てられた状態から、折り畳みコンテナーを折り畳むには、上述したように、先ず最初に、垂直状態のはね上げ側壁９を、上部フレーム１方向に回動させることになるが、この際、はね上げ側壁９の中央部の下端部に形成された嵌合部９ｃと、底部２に形成された係止部２ｃとの係合状態の解除を円滑に行うために、はね上げ側壁９の嵌合部９ｃ付近を、作業者が、手で、押圧或いは殴打して、はね上げ側壁９と底部２との係合状態の解除するとともに、次いで、下部分割側壁５に形成された突出部５ｃを、はね上げ側壁９に形成された凹部９ａから排出し、また、上部分割側壁４に形成された突出部４ｃを、はね上げ側壁９に形成された凹部９ａから排出するように構成されている。
【００２１】
次に、図５及び図６を用いて、上部フレーム１について説明する。
【００２２】
上部フレーム１は、相対する短辺部１ａと相対する長辺部１ｂとから略額縁状に形成されており、短辺部１ａは、外側垂直板部１ａ１と、外側垂直板部１ａ１の上端から内側に延在する水平天板部１ａ２と、水平天板部１ａ２の先端から下方に、且つ、外側垂直板部１ａ１と略平行に延在する内側垂直板部１ａ３とから、短辺部１ａの長手方向に対して垂直な断面形状が、略逆Ｕ字状に形成されているとともに、内側垂直板部１ａ３は、外側垂直板部１ａ１の半分程度まで垂下するように構成されている。
【００２３】
Ｈ１は、上部フレーム１の短辺部１ａに所定の間隔を置いて配設された公知の雌ヒンジ部材であり、雌ヒンジ部材Ｈ１は、水平天板部１ａ２の下面から垂下されているとともに、外側垂直板部１ａ１と内側垂直板部１ａ３とを架橋し、且つ、外側垂直板部１ａ１及び内側垂直板部１ａ３に略垂直な板状の支持片ｈ１ａと支持片ｈ１ａの下端から水平方向に延在するヒンジピン受け部ｈ１ｂとから形成されており、ヒンジピン受け部ｈ１ｂの上面には凹部が形成されている。
【００２４】
１ｃは、上部フレーム１の短辺部１ａに所定の間隔を置いて配設された、折り畳まれた状態の上部分割側壁４が当接する当接リブであり、縦長の方形状の当接リブ１ｃは、水平天板部１ａ２の下面から垂下されているとともに、外側垂直板部１ａ１と内側垂直板部１ａ３とを架橋し、且つ、外側垂直板部１ａ１の略下端まで延在している。このような、当接リブ１ｃは、上部フレーム１とはね上げ側壁９とのヒンジ連結部を外して設けられている。このように、当接リブ１ｃは、上部フレーム１とはね上げ側壁９とのヒンジ連結部を外して設けることにより、折り畳んだ状態で、上部フレーム１に上方から負荷が加わった際にも、上部フレーム１とはね上げ側壁９とのヒンジ連結部の損傷を防止することができる。
【００２５】
１ｄは、当接リブ１ｃと同様に、上部フレーム１の短辺部１ａに所定の間隔を置いて配設された補強リブであり、補強リブ１ｄも、水平天板部１ａ２の下面から垂下されているとともに、外側垂直板部１ａ１と内側垂直板部１ａ３とを架橋し、且つ、補強リブ１ｄには、はね上げ側壁９の上端部が嵌合するような切欠き凹部１ｄ’が形成されている。また、１ｅは、上部フレーム１の短辺部１ａに所定の間隔を置いて配設された、上部フレーム１にヒンジ連結されたはね上げ側壁３の水平移動を抑制するための嵌合片である。
【００２６】
次に、図７及び図８を用いて、はね上げ側壁９について説明する。
【００２７】
はね上げ側壁９は、上部フレーム１とヒンジ連結されるヒンジ部９ｆ’が形成されている上部水平縁部９ｆと、嵌合部９ｃが形成されている下部水平縁部９ｇと、嵌合凹部９ａが形成されている相対する垂直縁部９ｈと、上部水平縁部９ｆと下部水平縁部９ｇと相対する垂直縁部９ｈとにより囲まれ板状部９ｉとから構成されている。
【００２８】
はね上げ側壁９の板状部９ｉの相対する垂直縁部９ｈ付近を、板状部９ｉの外壁面（折り畳みコンテナーが箱型に組み立てられた際に、外側に位置する面）９ｉ１から、板状部９ｉの内壁面（折り畳みコンテナーが箱型に組み立てられた際に、内側に位置する面）９ｉ２方向に凹ますことにより、垂直縁部９ｈ付近の板状部９ｉには、側部縦溝状凹部９ｊが形成されている。また、板状部９ｉの中央領域の上部を、板状部９ｉの外壁面９ｉ１から、板状部９ｉの内壁面９ｉ２方向に凹ますことにより、板状部９ｉの中央領域の上部には、略方形状の上部凹部９ｋが形成されており、また、板状部９ｉの中央領域の下部を、板状部９ｉの外壁面９ｉ１から、板状部９ｉの内壁面９ｉ２方向に凹ますことにより、板状部９ｉの中央領域の下部には、上部凹部９ｋと同じ幅を有する略方形状の下部凹部９ｍが形成されている。
【００２９】
側部縦溝状凹部９ｊは、相対する傾斜側壁９ｊ１と奥壁９ｊ２と天板９ｊ３と底板９ｊ４とを有しており、側部縦溝状凹部９ｊは、相対する傾斜側壁９ｊ１を架橋する複数の水平補強リブ９ｊ５により区画されている。
【００３０】
略方形状の上部凹部９ｋは、相対する傾斜側壁９ｋ１と奥壁９ｋ２と天板９ｋ３と傾斜底板９ｋ４とを有しており、天板９ｋ３の直下には、上部水平リブ９ｋ５が形成されている。また、略方形状の下部凹部９ｍは、相対する傾斜側壁９ｍ１と奥壁９ｍ２と傾斜天部９ｍ３と底板９ｍ４とを有しており、底板９ｍ４の直上には、適当数の下部水平リブ９ｍ５が形成されている。
【００３１】
上部凹部９ｋを形成することにより、上部凹部９ｋと側部縦溝状凹部９ｊとの間には、相対する上部垂直凸条１０が形成されることになる。また、下部凹部９ｍを形成することにより、下部凹部９ｍと側部縦溝状凹部９ｊとの間には、相対する下部垂直凸条１１が形成されることになる。更に、上部凹部９ｋと下部凹部９ｍを形成することにより、上部凹部９ｋと下部凹部９ｍとの間には、相対する上部垂直凸条１０と相対する下部垂直凸条１１との境界凸部１２を連結する水平凸条１３が形成されることになる。
【００３２】
上述した上部垂直凸条１０は、側部縦溝状凹部９ｊを構成する相対する傾斜側壁９ｊ１のうち、上部凹部９ｋ側に位置する傾斜側壁９ｊ１と外壁面９ｉ１と上部凹部９ｋを構成する一方の傾斜側壁９ｋ１とから構成されている。また、上述した下部垂直凸条１１は、側部縦溝状凹部９ｊを構成する相対する傾斜側壁９ｊ１のうち、下部凹部９ｍ側に位置する傾斜側壁９ｊ１と外壁面９ｉ１と下部凹部９ｍを構成する一方の傾斜側壁９ｍ１とから構成されている。更に、水平凸条１３は、上部凹部９ｋを構成する傾斜底板９ｋ４と下部凹部９ｍを構成する傾斜天部９ｍ３と外壁面９ｉ１とから構成されている。
【００３３】
上部垂直凸条１０を形成することにより、板状部９ｉの内壁面９ｉ２側には、上部垂直凸条１０に対応して、上部垂直凹部１０’が形成されることになり、また、下部垂直凸条１１を形成することにより、板状部９ｉの内壁面９ｉ２側には、下部垂直凸条１１に対応して、下部垂直凹部１１’が形成されることになり、更に、水平凸条１３を形成することにより、板状部９ｉの内壁面９ｉ２側には、水平凸条１３に対応して、水平凹部１３’が形成されることになり、なお更に、上部垂直凸条１０と下部垂直凸条１１との境界凸部１２に対応して、板状部９ｉの内壁面９ｉ２側には、境界凹部１２’が形成されることになる。なお、上部垂直凹部１０’や下部垂直凹部１１’には、上部垂直凹部１０’や下部垂直凹部１１’を区画する複数の水平補強リブ１４を形成することもでき、また、水平凹部１３’には、水平凹部１３’を区画する複数の垂直補強リブ１５を形成することもできる。
【００３４】
上述したように、側部縦溝状凹部９ｊを形成することにより、垂直縁部９ｈと側部縦溝状凹部９ｊを形成する垂直縁部９ｈ側の傾斜側壁９ｊ１と板状部９ｉの外壁面９ｉ１とにより、端部垂直凸条１６が形成されている。端部垂直凸条１６を形成することにより、板状部９ｉの内壁面９ｉ２側には、端部垂直凸条１６に対応して、端部垂直凹部１６’が形成されることになり、端部垂直凹部１６’には、端部垂直凹部１６’を区画する複数の水平補強リブ１７を形成することもできる。
【００３５】
上述したように、はね上げ側壁９に、上部垂直凸条１０、下部垂直凸条１１、境界凸部１２、及び、上部垂直凸条１０と下部垂直凸条１１とを、境界凸部１２を介して連結する水平凸条１３を形成することにより、はね上げ側壁９を面変化させるように構成されている。このように、はね上げ側壁９を面変化させることにより、はね上げ側壁９の強度や剛性を高めることができ、箱型に組み立てられた折り畳みコンテナーを折り畳む際に、垂直状態のはね上げ側壁９を、作業者が、手で、押圧或いは殴打しても、はね上げ側壁９が変形することを抑制することができ、従って、押圧力或いは殴打力が、効果的に、底部２とはね上げ側壁９の係合状態の解除力に作用することになり、折り畳みコンテナーの折り畳み作業の作業性が向上する。
【００３６】
また、折り畳みコンテナーが箱型に組み立てられた際には、上述した水平凸条１３は、その両端部付近が、上部分割側壁４と下部分割側壁５とのヒンジ連結部６付近に位置する下部分割側壁５の嵌合突出部５ｃと該嵌合突出部５ｃが嵌合するはね上げ側壁９の凹部９ａとの嵌合位置に位置するように構成されている。このように構成することにより、垂直状態のはね上げ側壁９を、水平方向に回動する際に、作業者のはね上げ側壁９への押圧力或いは殴打力が、効果的に、下部分割側壁５の嵌合突出部５ｃと該嵌合突出部５ｃが嵌合するはね上げ側壁９の凹部９ａとの嵌合状態の解除力として作用し、従って、折り畳みコンテナーの折り畳み作業の作業性が向上する。
【００３７】
９ｎは、公知のように、上部水平縁部９ｆのヒンジ連結されるヒンジ部９ｆ’に形成された凹部であり、凹部９ｎを形成する相対する側壁の一方の側壁には、公知のように、該側壁に垂直にヒンジピン９ｎ１が突設されており、ヒンジピン９ｎ１は、公知のように、上部フレーム１の短辺部１ａに形成された雌ヒンジ部材Ｈ１を構成するヒンジピン受け部ｈ１ｂの凹部に嵌合するように構成されており、はね上げ側壁９に形成されたヒンジピン９ｎ１と上部フレーム１の短辺部１ａに形成された雌ヒンジ部材Ｈ１とにより、上部フレーム１とはね上げ側壁９とがヒンジ連結されている。また、９ｐは、上述した上部フレーム１に形成された当接リブ１ｃに対応して、はね上げ側壁９の上部水平縁部９ｆに形成された当接リブ凹部であり、当接リブ凹部９ｐには、上部フレーム１に形成された当接リブ１ｃが嵌合するように構成されている。
【００３８】
図９及び図１０に示されているように、折り畳みコンテナーが折り畳まれた状態においては、上部フレーム１の短辺部１ａに配設された当接リブ１ｃが、折り畳まれた状態の上部分割側壁４に当接するように構成されている。このように構成することにより、折り畳みコンテナーが折り畳まれた状態において、上部フレーム１に上方から負荷が加わった際に、上部フレーム１の短辺部１ａに配設された当接リブ１ｃが、折り畳まれた状態の上部分割側壁４に当接するので、はね上げ側壁９の強度や剛性を低下することなく、折り畳まれた状態の折り畳みコンテナーの変形や損傷を防止することができる。
【符号の説明】
【００３９】
１・・・・・・・・上部フレーム
１ｃ・・・・・・・当接リブ
２・・・・・・・・底部
３・・・・・・・・分割側壁
４・・・・・・・・上部分割側壁
５・・・・・・・・下部分割側壁
４ｃ・・・・・・・嵌合部材
９・・・・・・・・はね上げ側壁
９ａ・・・・・・・嵌合凹部
９ｎ１・・・・・・ヒンジピン
Ｈ１・・・・・・・雌ヒンジ部材
【図１】
0005662239.tif 000002
【図２】
0005662239.tif 000003
【図３】
0005662239.tif 000004
【図４】
0005662239.tif 000005
【図５】
0005662239.tif 000006
【図６】
0005662239.tif 000007
【図７】
0005662239.tif 000008
【図８】
0005662239.tif 000009
【図９】
0005662239.tif 000010
【図１０】
0005662239.tif 000011
【図１１】
0005662239.tif 000012
【図１２】
0005662239.tif 000013
【図１３】
0005662239.tif 000014
【図１４】
0005662239.tif 000015
【図１５】
0005662239.tif 000016